(57)【特許請求の範囲】
【請求項１】
柔軟材よりなる傘状部(1)の軸心位置に配設された筒体(3)と、前記筒体(3)に設けられた密閉状の貯蔵部(2)と、前記貯蔵部(2)に設けられた栓(1A)及びシール部(3A)と、前記筒体(3)に直列接続された第１筒状体(9)からなることを特徴とする穿刺装置。
【請求項２】
前記第１筒状体(9)の外周位置に同軸配設された第２筒状体(11)を備え、前記傘状部(1)は傘形から変形した状態で前記第２筒状体(11)内に収容されていると共に前記栓(1A)は筒体(3)に対して着脱自在に構成されていることを特徴とする請求項１記載の穿刺装置。
【請求項３】
前記貯蔵部(2)には、接着剤(7)が収容されていることを特徴とする請求項１又は２記載の穿刺装置。
【請求項４】
前記筒体(3)は切断自在に構成されていることを特徴とする請求項１ないし３の何れかに記載の穿刺装置。
【請求項５】
前記傘状部(1)はウレタンゴムからなることを特徴とする請求項１ないし３の何れかに記載の穿刺装置。
【請求項６】
前記筒体(3)に挿入される針体(30)を有し、前記針体(30)は、シリコンコーティングされており、かつ、筒状針部(31)及びこの筒状針部(31)内に同軸状に挿入された棒状針部(32)とからなることを特徴とする請求項１ないし５の何れかに記載の穿刺装置。
【請求項７】
前記栓(1A)にはワイヤ(1Aa)が設けられていることを特徴とする請求項１ないし６の何れかに記載の穿刺装置。
【発明の詳細な説明】
【０００１】
【産業上の利用分野】
本発明は、穿刺装置に関し、特に、人体又は動物等の臓器内の液体等を外部に漏出させることなく、臓器内のサンプル吸引及び内部状態検査を行うための新規な改良に関する。
【０００２】
【従来の技術】
従来、用いられていたこの種の穿刺装置としては、一般に、注射針を臓器等の被穿刺部内に穿刺させ、内部の液体等を吸引して、この液体等の病理検査を行っていた。
【０００３】
【発明を解決しようとする課題】
従来の穿刺装置は、以上のように構成されているため、次のような課題が存在していた。
すなわち、被穿刺部内に注射針を穿刺して液体等を吸引した後に、この注射針を引抜くと、この被穿刺部に注射針を穿刺した時の孔が残るため、この孔から液体等が体内に漏出し、悪性液体の場合には他の臓器に転移することがあった。
【０００４】
本発明は、以上のような課題を解決するためになされたもので、特に、人体又は動物等の臓器内の液体等を外部に漏出させることなく、臓器内のサンプル吸引及び内部状態の検査を行うようにした穿刺装置を提供することを目的とする。
【０００５】
【課題を解決するための手段】
本発明による穿刺装置は、柔軟材よりなる傘状部の軸心位置に配設された筒体と、前記筒体に設けられた密閉状の貯蔵部と、前記貯蔵部に設けられた栓及びシール部と、前記筒体に直列接続された第１筒状体とからなる構成である。
【０００６】
さらに詳細には、前記第１筒状体の外周位置に同軸配設された第２筒状体を備え、前記傘状部は傘形から変形した状態で前記第２筒状体内に収容されていると共に前記栓は筒体に対して着脱自在に構成されている構成である。
【０００７】
さらに詳細には、前記貯蔵部には、接着剤が収容されている構成である。
【０００８】
さらに詳細には、前記筒体は切断自在にした構成である。
【０００９】
さらに詳細には、前記傘状部はウレタンゴムからなる構成である。
【００１０】
さらに詳細には、前記筒体に挿入される針体を有し、前記針体は、シリコンコーティングされており、かつ、筒状針部及びこの筒状針部内に同軸状に挿入された棒状針部とからなる構成である。
【００１１】
さらに詳細には、前記栓にはワイヤを有する構成である。
【００１２】
【作用】
本発明による穿刺装置においては、人体又は動物の壁体に形成した孔を介して穿刺装置を挿入し、第１筒状体のみを押込むと、傘状部及び貯蔵部が第２筒状体から飛び出し、傘状部は縮小した状態から元の傘状に広がる。この状態で、別方向から挿入した乾燥手段で被穿刺部上を乾燥させた後、ワイヤを引くことにより栓が除去されて貯蔵部内の接着剤がこの被穿刺部上に厚さ約０．１〜０．２ｍｍで膜状に供給される。
前述の状態で、装置全体を内方へ押入すると、この傘状部が被穿刺部に蜜合し接着剤の作用によって両者が一体となる。
次に、第１筒状体内に針体を挿入すると、この針体はシール部を穿孔して被穿刺部を貫通する。この状態で、棒状針部のみを筒状針部から抜き取り、この筒状針部の頭部に吸引体を挿入して吸引すると、被穿刺部内の液体等を吸引して取出すことができる。この吸引作業完了後、直ちに筒体を切断すると、傘状部と筒体の一部とが共に被穿刺部上に残ると共に、このシール部は収縮して元通りに復元するため、針体を穿刺した時の孔は消滅し、被穿刺部に形成された孔もこのシール部によって完全に閉塞され、内部の液体等の外部への漏出を防止することができる。従って、悪性腫瘍の場合の漏出による他の臓器への転移を防止することができる。
また、前述の吸引体の代わりに、カメラ又はサンプル取出体を挿入した場合には、被穿刺部内の観察及び生体サンプルの取出しを行うことができる。
【００１３】
【実施例】
以下、図面と共に本発明による穿刺装置の好適な実施の形態について詳細に説明する。
図１は穿刺装置の主要部を示すもので、図１において符号１で示されるものはウレタンゴム等からなり傘状をなす傘状部であり、この傘状部１の軸心位置には接着剤の貯蔵部２を有する筒体３が一体（別体も可）に形成され、この貯蔵部２は筒体３に設けられた栓１Ａとシール部３Ａにより密閉状に形成されている。なお、この筒体３、傘状部１及びシール部３Ａは一体成形又は別部品による一体接合の何れかにより構成されている。前記栓１Ａは筒体３に着脱自在に設けられたゴム等よりなり、この栓１Ａに接続されたワイヤ１Ａａを引くことによりこの栓１Ａは筒体３から除去できるように構成されている。また、前記シール部３Ａは図２で示すように、軸方向における両端に設けられた第１、第３膜３Ａａ、３Ａｃと中間に位置する第２膜３Ａｂとからなり、この第２膜３Ａｂには十字形の切れ目３Ｂが形成され、後述の針等が貫通しやすいように構成されている。なお、このシール部３Ａは３層に限らず、１層及び２層等とすることもできる。
【００１４】
前記筒体３には、耐蝕性のあるアルミニウム等よりなり筒状をなすねじ体５が設けられている。なお、前記貯蔵部２内には使用直前に注入器６によって外科用アロンアルファー等（他の接着剤も可）からなる接着剤７が注入される。なお、この注入器６を用いることなく、栓１Ａを除去して接着剤７を貯蔵部２内に供給することもできる。
【００１５】
前記ねじ体５には、耐蝕性のあるアルミニウム等からなりこのねじ体５と外径がほぼ同一であると共に、第１取手８を有する第１筒状体９が直列状に螺合して接続されている。なお、この第１筒状体９は筒体３に直接又は間接的に接続されていればよく、一体状又は別体状の何れでも可である。
このねじ体５に接続された第１筒状体９は、図４で示すように、第２取手１０を有すると共に全体が耐蝕性のあるアルミニウム等からなる第２筒状体１１内に同軸状に挿入されている。従って、図４の状態で本発明による穿刺装置２０は完成されたことになり、この状態では、前記傘状部１が縮小して元の形よりも小形に変形して第２筒状体１１内に収容された状態となる。なお、前記傘状部１は、図１で示すように、ウレタンゴム等からなり、筒体３はシリコンゴム、樹脂等から構成されている。
【００１６】
次に、図５から図７で示す構成は、前述の図４で示す穿刺装置２０に用いる針体３０を示すもので、図５は筒状針部３１、図６はこの筒状針部３１内に挿入するための捧状針部３２を示している。前記筒状針部３１の後端にはテーパ状の挿入部３３が形成され、この挿入部３３を介して捧状針部３２がこの筒状針部３１内に挿入されることにより、この筒状針部３１内の案内孔３０ａが閉塞される。また、この捧状針部３２の後端に形成された膨大部３２ａの径Ｄ1は前記挿入部３３の口径よりも十分に大に形成され、この膨大部３２ａによって挿入部３３を閉塞することができるように構成されている。なお、この針体は全てシリコンコーティングされている。
【００１７】
次に、前述の構成において、実際に人体又は動物の臓器に対する穿刺を行う場合について述べる。なお、本実施例においては、人体の卵巣腫瘍を被穿刺部とした場合について説明する。
まず、図８から図１２で示すように壁体４０に腹腔鏡４１を挿入してガスを供給しつつ膨張させ、筒状の第１トロッカー４２を植立させる。この第１トロッカー４２を介して本発明による穿刺装置２０を図１１及び図１２にて示すように壁体４０内に挿入し、図１３に示すように内側の第１筒状体９のみを押込むと、傘状部１が第２筒状体１１内から外部に出るため、この傘状部１は縮小状態から元の傘状に開放される。
【００１８】
前述の状態で、図１４に示すように、別方向から壁体４０に挿入した第２トロッカー４３を介して乾燥空気又はガスを供給するための乾燥手段４４を用いて例えば卵巣腫瘍（他の臓器も可）からなる被穿刺部４５の表面を乾燥させ、前記第２トロッカー４３から乾燥手段４４を引抜き、代わりに引掛け手段４６を壁体４０内に挿入して図１５及び図１６に示すようにワイヤ１Ａａを引くと栓１Ａが除去されて、接着剤７がこの被穿刺部４５上に供給される。なお、この接着剤７は前もって、手術直前に貯蔵部２内に注入しておく。
【００１９】
次に、穿刺装置２０を、図１７及び図１８に示すように壁体４０内に押入すると、傘状部１がこの接着剤７を介して被穿刺部４５の表面４５ａに固着する。この状態で、図１９及び図２０に示すように、穿刺装置２０内に針体３０を挿入すると、図２１及び図２２で示すように、この針体３０がシール部３Ａを貫通して針体３０の先端が被穿刺部４５内に挿入される。
【００２０】
前述の状態で、捧状針部３２のみを筒状針部３１から引抜き、この筒状針部３１の挿入部３３に、図２３及び図２４で示すように、吸引体５０を挿入して吸引を行うと、被穿刺部４５内の液体等は吸引体５０内に吸引されて、サンプル採取が完了する。
【００２１】
前述の吸引完了後、筒状針部３１も引抜き、次に図２５から図２７で示すように、シザースからなる切断手段４６Ａを壁体４０に挿入し、被穿刺部４５に固着状態となった筒体３の凹溝部３ｃを切断することにより、筒体３の一部と傘状部１のみが被穿刺部４５に固着した状態となり、この場合には、被穿刺部４５の形状も初めよりは縮小している。なお、この場合、針体３０を引抜いた後にシール部３Ａに残る孔はその弾性の収縮作用により閉塞されるため、被穿刺部４５内の液体等の外部（すなわち、腹内）への漏出は防止できる。
【００２２】
次に、前述の被穿刺部４５の液体等の良悪性診断が判明し、術式が決定された後、良性の場合には、図２８及び図２９で示されるように、被穿刺部４５を切除し、この被穿刺部４５と共に残留した傘状部１等を体外に除去する。なお、前述の液体等が悪性の場合には、この被穿刺部４５を図示しない袋で包んだ後に切除し、液体等が腹内に飛散することを防止する。従って、悪性腫瘍の場合における液体の漏出による他の臓器への転移を防止することができる。なお、前述の針体３０の先端は、接着剤が付着することを避けるために、予めシリコンコーティングさせた後にシール部３Ａを貫通すると好都合である。
【００２３】
また、他の実施例として、前記吸引体５０の代わりに、図３０で示すように、カメラ６０を被穿刺部４５内に挿入し、モニターテレビ６１で内部診断を行うこともできる。
【００２４】
また、図３１で示すように、前記カメラ６０の代わりに周知のサンプル取出体７０を挿入し、リモートコントローラ７１でこのサンプル取出体７０を操作することにより、被穿刺部４５内の生体サンプルを外部に取出すこともできる。
なお、前述の実施例においては、人体の手術の場合について述べたが、人体に限ることなく、動物についても同様に適用できることは述べるまでもないことである。また、前述の実施例では、腹腔鏡４１を用いて手術する場合について述べたが、腹腔鏡４１を用いない場合には、第２筒状体１１は必要とせず、図３のように、筒体３と第１筒状体９を用いた構成を用いることになる。
【００２４】
【発明の効果】
本発明による穿刺装置は、以上のように構成されているため、次のような効果を得ることができる。
すなわち、被穿刺部に対して傘状部を、接着剤を介して接着し、このシール部を介して針体を挿入するため、針体引抜き後はシール部の孔が収縮して閉塞し、被穿刺部内の液体等の外部漏出を防止することができる。
また、この針体を介してカメラの挿入、サンプル取出体の挿入もでき、医療分野における幅広い応用を達成することができる。
【図面の簡単な説明】
【図１】本発明による穿刺装置の要部を示す断面図である。
【図２】図１のシール部を示す拡大断面図である。
【図３】図１に第１筒状体を設ける分解構成図である。
【図４】第２筒状体を示す構成図である。
【図５】針体の筒状針部を示す断面図である。
【図６】棒状針部を示す断面図である。
【図７】針体を示す断面図である。
【図８】穿刺方法を示す構成図である。
【図９】穿刺方法を示す構成図である。
【図１０】穿刺方法を示す構成図である。
【図１１】穿刺前状態を示す縦断面図である。
【図１２】図１１の横断面図である。
【図１３】穿刺前状態を示す縦断面図である。
【図１４】図１３の横断面図である。
【図１５】袋部の切断を示す縦断面図である。
【図１６】図１５の横断面図である。
【図１７】傘状部が被穿刺部に接着した状態を示す縦断面図である。
【図１８】図１７の横断面図である。
【図１９】穿刺直前状態を示す縦断面図である。
【図２０】図１９の横断面図である。
【図２１】穿刺状態を示す縦断面図である。
【図２２】図２１の横断面図である。
【図２３】吸引状態を示す縦断面図である。
【図２４】図２３の横断面図である。
【図２５】吸引後、針体を除去した状態を示す縦断面図である。
【図２６】弾性保持体を切断する前を示す断面図である。
【図２７】図２６の切断状態を示す横断面図である。
【図２８】穿刺装置除去後を示す縦断面図である。
【図２９】図２８の横断面図である。
【図３０】カメラを用いる例を示す横断面図である。
【図３１】サンプル取出体を用いる例を示す横断面図である。
【符号の説明】
１    傘状部
１Ａ    栓
１Ａａ    ワイヤ
２    袋部
３    筒体
３Ａ    シール部
５    ねじ体
７    接着剤
９    第１筒状体
１１    第２筒状体
３０    針体
３１    筒状針部
３２    棒状針部
４０    壁体
４５    被穿刺部
６０    カメラ
７０    サンプル取出体
【図１】
0003633032.tif 000002
【図２】
0003633032.tif 000003
【図３】
0003633032.tif 000004
【図４】
0003633032.tif 000005
【図５】
0003633032.tif 000006
【図６】
0003633032.tif 000007
【図７】
0003633032.tif 000008
【図８】
0003633032.tif 000009
【図９】
0003633032.tif 000010
【図１０】
0003633032.tif 000011
【図１１】
0003633032.tif 000012
【図１２】
0003633032.tif 000013
【図１３】
0003633032.tif 000014
【図１４】
0003633032.tif 000015
【図１５】
0003633032.tif 000016
【図１６】
0003633032.tif 000017
【図１７】
0003633032.tif 000018
【図１８】
0003633032.tif 000019
【図１９】
0003633032.tif 000020
【図２０】
0003633032.tif 000021
【図２１】
0003633032.tif 000022
【図２２】
0003633032.tif 000023
【図２３】
0003633032.tif 000024
【図２４】
0003633032.tif 000025
【図２５】
0003633032.tif 000026
【図２６】
0003633032.tif 000027
【図２７】
0003633032.tif 000028
【図２８】
0003633032.tif 000029
【図２９】
0003633032.tif 000030
【図３０】
0003633032.tif 000031
【図３１】
0003633032.tif 000032